(57)【要約】【課題】  ＤＣ−ＡＤＡＰＴＥＲが容易にコンセントに数多く一まとめにセット出来る、左右、上下にスライド出来る、コンセントテーブルタップを提供する。【解決手段】  テーブルタップのコンセントにＤＣ−ＡＤＡＰＴＥＲプラグが容易に数多く差し込みが出来るようにコンセントを左右、上下にスライドする事により、間隔が自由に想定出来るので順序良く、プラグを差し込む事が得られる。【選択図】図４
2010034013.tif 000002
【特許請求の範囲】
【請求項１】
ＤＣ−ＡＤＡＰＴＥＲは、重量、寸法、形状等において、様々であるが、それらのＤＣ−ＡＤＡＰＴＥＲを一まとめに差し込む事が出来るので、ＤＣ−ＡＤＡＰＴＥＲの紛失も防止する事が出来る。これはテーブルタップと呼ばれるコンセントで、大変便利であると同時に、このコンセントは、コンセント部分とこのコンセントに電流を取る為のコード部分は、取り外し可能とした。それにより、このコンセントタップ表面のプッシュボタン図１の１．を押す事により、裏面に本体に内蔵されていたプラグの歯が直立して突出します。そこへ専用プラグを差し込み、完全に差し込んだ図１０の状態で、９０度回転プラグを取り付ける事で、直接、壁コンセントに差し込み接続が出来る、省スペースタイプと床置きタイプの二通りの使用を可能とした、コンセントタップである。その為、裏面に溝を施し、そこにコンセントが入り込み、９０度回転のプラグが横になっている部分に差し込む方法を取る。一方、９０度回転をさせコンセントより飛び出したプラグを壁に差し込む事により、壁より電源（電流）を取る、この二通りの方法が特徴であるこのコンセントタップを提供する。
【請求項２】
ＤＣ−ＡＤＡＰＴＥＲは重量、寸法、形状において、様々なので、床置き型を特徴とするテーブルタップにとって、安定したバランスを保つため、ＤＣ−ＡＤＡＰＴＥＲの幅に合わせ、広くスペースを取りＤＣ−ＡＤＡＰＴＥＲの重量が床との関係を保ち（広く上から重量がかかる事で床とのバランスが良くなる）テーブルタップがひっくり返る事を防止すると同時にテーブルタップに溝を施し、ＤＣ−ＡＤＡＰＴＥＲのラインを、例えばコンセントが６個口であれば６本のラインがまとめて、太い筒状で軽く包み、ばらばらにならない事により、掃除等の日常生活の邪魔にならない事を特徴としたＤＣ−ＡＤＡＰＴＥＲ専用とするテーブルタップである。
【請求項３】
請求項１．・２記載のＤＣ−ＡＤＡＰＴＥＲは、コンセント位置を左右、上下に移動出来る（テーブルタップ内において）スライド型を特徴とするテーブルタップである。又、壁コンセントとして使用する場合は、コンセント表面の  図１  の２．を押す事により、裏面に本体に内蔵されていた樹脂で造られた、通電しないプラグの歯が突出してきて（９０度に直立した）その歯を上下にスライドさせる事により、余っているコンセント口（２個以上のコンセント口があるものに限る）位置に、差し込む事により、本体の重量による不安定性を、より安定させるために義歯プラグを設けたテーブルタップである。
【発明の詳細な説明】
【技術分野】
【０００１】  本発明は、テーブルタップコンセントにＤＣ−ＡＤＡＰＴＥＲを効果的（スペース）にまとめ、セット出来るように、形状寸法が様々であっても、ＤＣ−ＡＤＡＰＴＥＲのプラグを差し込み使用出来るようにと、テーブルタップがひっくり返る事を改善するために用いられる、コンセントに関するものである。
【背景技術】
【０００２】  一般的に使用されている、テーブルタップ等において、ＤＣ−ＡＤＡＰＴＥＲをセットすると、そのテーブルタップが何個口のコンセント口（２個以上を指す）がセットされていても、全てのコンセント口に、ＤＣ−ＡＤＡＰＴＥＲプラグ、ＡＣ−ＡＤＡＰＴＥＲプラグ、通常の電気器具プラグ等をセットする事は、困難。通常はサイズの関係上、使用出来ないコンセント口が出でしまう。例えば、１個おきに（使用出来ないコンセント口）とかが知られている。又、よくひっくり返ったり、横倒しになったりしているのを見る。これ等の事が起こっていても、これ等の事は未解決のままである。しかしながら、上記の事柄については、１個口或いは、２個口等のコンセントで補ってきた。それでも、ひっくり返る事などは、問題点であると同時にコンセント口を増やす為に、多くの配線を取り、コンセント口を増やす為、そのコンセントを床において作業、及び日常生活をする為に、邪魔にもなっているのが現状である。
【発明の開示】
【発明が解決しようとする課題】
【０００３】  又、テーブルタップのコンセント口を使用しないで、オープン口としていると、特に絨毯等では、トラッキング現象という電源プラグの歯の間に溜まった絨毯から出る極細の毛や糸が埃となり、それに湿気が加わると微弱な電流が流れ、プラスチック樹脂面が炭化して導電路が形成される現象が起き、この現象に寄って焼損や発火による火災等の問題点があった。又、配線コードによる、つまづき、掃除等の邪魔にならず、従来の技術には無いものである（スライド式コンセント口）。
【課題を解決する為の手段】
【０００４】  スライド式コンセントテーブルタップが安全で尚且つ安定した使用を考慮するに、コンセント口を左右、上下にスライドする事により、コードの伸縮による断線、或いは、縮みによる熱の発生等が予想されるので、左右、上下に移動する範囲を表面裏の内部にレールを設け、そのレール上だけを左右、上下に移動範囲とし、コードがよじれたり、折り曲がったりしない様、レールに平行して取り付けられたリード線に沿ってコードも移動し、収縮自在のパーマネント状の形状記憶コードにより、それら熱の発生、及び折れ曲がりを防止する。その他、落雷により発生する誘導電流から接続機器を保護するための雷ガード最大サージ電圧６０００Ｖ、反応時間１ナノセコンド（１０−９秒）最大瞬時電流４５００Ａ、制限電圧４００Ｖ、エネルギー耐量７０ジュール、勿論１００％雷対応には問題はあるが、ほとんどの場合は対応出来る。コンセント口１個につき、単独のＯＮ／ＯＦＦが出来る独立スイッチによる待機電力の無駄の解消。ノイズフィルターを付ける事による、クリアな電源供給、過電流防止ブレーカーによる容量オーバーによる過電流はブレーカーが作動し防止する（スライド式コンセントテーブルタップ全差し込み口、プラグの電流供給の遮断）等を設け備えている。
【発明の効果】
【０００５】  本発明のスライド式コンセントテーブルタップは、テーブルタップのコンセント口を移動させる事により、容易に効率良くコンセント口を使用出来る。多数のＤＣ−ＡＤＡＰＴＥＲプラグを差し込む事が出来、ＤＣ−ＡＤＡＰＴＥＲの紛失防止、トラッキング現象防止効果が期待される。プラグ差し込み口数が多い事で、別配線によるコンセントを必要最小限に食い止めることが出来る。
【発明を実施する為の手段】
【０００６】  本発明はＤＣ−ＡＤＡＰＴＥＲの寸法等は様々なので、左右、上下等にスライド式にする事でＤＣ−ＡＤＡＰＴＥＲの差し込み口の間隔を調整する事により、順序良く差し込む事を可能にするよう、構成したものである。更に、上記スライド式コンセントテーブルタップが安全安定の為に、最大１５００Ｗ以下とする。コンセント口には、熱及びトラッキングに強い、ユリア樹脂を使用する。
【図面の簡単な説明】
【０００７】
【図１】  本発明の斜視図。
【図２】  本発明の平面図。
【図３】  本発明の右側面図。
【図４】  本発明の変化した状態を示す右側面図。（コンセント口がスライドした図）
【図５】  本発明の変化の途中を示す右側面図。
【図６】  本発明の裏面平面図。
【図７】  本発明の裏面斜視図。
【図８】  本発明の裏面コード差し込む図。
【図９】  本発明の裏面プラグが９０度回転している斜視図。
【図１０】  プラグが専用ソケットの中におさまった図。
【図１１】  通電中の図。
【図１２】  飛出しプラグが９０度の位置図。（折り曲げの出来るプラグ）
【図１３】  テーブルタップにＤＣ−ＡＤＡＰＴＥＲが６個使用している状態を示している図。
【図１４】  通常のコンセントが部屋にある状態を示す図。
【図１５】  壁面コンセントにタップを差し込んだ状態を示す図。
【図１６】  本発明の上下、左右の通り道であるレールを示す図であり、内部及び、表面の斜視図。
【図１７】  本発明の図１６からの連続（動きに対し）図であり、透視図である。
【図１８】  本発明の上下移動の途中図であり、斜視図である。
【図１９】  本発明の上下移動の完了図であり、斜視図である。
【図２０】  本発明の移動時にコードが同時に移動している図
【図２１】  本発明の本体に１個のコンセントを差し込むところ。６個口であればこれを６個差し込む
【符号の説明】
【０００８】  １．本体に内蔵されたプラグ押し出しスイッチ。
２．本体に内蔵された擬似プラグ押し出しスイッチ。
３．本体の溝の部分でこの中をコードが移動している。
４．本体の上下移動のための溝の部分。
【図１】
2010034013.tif 000003
【図２】
2010034013.tif 000004
【図３】
2010034013.tif 000005
【図４】
2010034013.tif 000006
【図５】
2010034013.tif 000007
【図６】
2010034013.tif 000008
【図７】
2010034013.tif 000009
【図８】
2010034013.tif 000010
【図９】
2010034013.tif 000011
【図１０】
2010034013.tif 000012
【図１１】
2010034013.tif 000013
【図１２】
2010034013.tif 000014
【図１３】
2010034013.tif 000015
【図１４】
2010034013.tif 000016
【図１５】
2010034013.tif 000017
【図１６】
2010034013.tif 000018
【図１７】
2010034013.tif 000019
【図１８】
2010034013.tif 000020
【図１９】
2010034013.tif 000021
【図２０】
2010034013.tif 000022
【図２１】
2010034013.tif 000023